【手続補正書】
【提出日】平成28年5月19日(2016.5.19)
【手続補正１】
【補正対象書類名】特許請求の範囲
【補正対象項目名】全文
【補正方法】変更
【補正の内容】
【特許請求の範囲】
【請求項１】
開いた先行端と、閉じた追従端と、その先行端及び追従端の間の一つ以上の側壁とを有し、当該側壁はフレキシブルな膜を備え、かつ、当該側壁と前記追従端が実質的に水を通さないものであるコッドエンド部分と、
先行端と、追従端と、その先行端と追従端の間の一つ以上の側壁とを有し、前記側壁の少なくとも主要部分が実質的に水を通さないフレキシブルな膜を備える細長い伸張部分であり、当該伸張部分の追従端が前記コッドエンド部分の先行端に有効に接続された伸張部分と、を備え、
前記細長い伸張部分は、装置が水体内に沈んで装置に対する水流が生じた際に、装置の内部で前記細長い伸張部分の先行端から当該細長い伸張部分の追従端に向かい、かつ前記コッドエンド部分の追従端に向かう水流速に全体的な低減を生じさせるために、装置の内部から装置の外部へ、所望のサイズより小さい水生動物と水を通過させることができる複数の逃がし機構を備える、
水生動物を捕獲するための装置。
【請求項２】
前記装置が水体内に沈んで装置に対する水流が生じた際に、当該装置に対するコッドエンド部分内の平均水速度が装置外部の相対水速度の約１０％未満であるように構成された請求項１に記載の装置。
【請求項３】
前記逃がし機構は前記フレキシブルな膜に形成される請求項１に記載の装置。
【請求項４】
少なくとも一つの逃がし機構は、前記細長い伸張部分の単一の側壁、又は複数の側壁の中の一つに設けられたスリットを備える請求項１に記載の装置。
【請求項５】
少なくとも一つの逃がし機構は、前記細長い伸張部分の単一の側壁、又は複数の側壁の中の一つに設けられたスロット又は他の開口を備える請求項１に記載の装置。
【請求項６】
前記細長い伸張部分が逃がし機構部分を備え、当該逃がし機構部分の上方領域が複数の逃がし機構を備え、当該逃がし機構部分の下部領域が複数の逃がし機構を備え、前記逃がし機構部分の２つの対向する側部領域が実質的に水を通さず、かつ、前記細長い伸張部分は直列に配列される複数の伸張モジュールを備え、各伸張モジュールは先行端及び追従端を備える請求項１に記載の装置。
【請求項７】
前記複数の伸張モジュールは、装置の内部から装置の外部へ、所望のサイズより小さい水生動物と水を通過させることができる複数の逃がし機構を備える第１の逃がし機構モジュールを含む請求項６に記載の装置。
【請求項８】
前記複数の伸張モジュールは、実質的に水を通さない拡張モジュールを更に備える請求項７に記載の装置。
【請求項９】
前記複数の伸張モジュールは、装置の内部から装置の外部へ、所望のサイズより小さい水生動物と水を通過させることができる複数の逃がし機構を備える第２の逃がし機構モジュールを更に備え、前記拡張モジュールが前記第１及び第２の逃がし機構モジュールの間に配置される請求項８に記載の装置。
【請求項１０】
前記第１の逃がし機構モジュールは第２の逃がし機構モジュールの前方に配置され、前記第１の逃がし機構モジュールにおける前記複数の逃がし機構は前記第２の逃がし機構モジュールにおける前記複数の逃がし機構より大きい請求項９に記載の装置。
【請求項１１】
当該装置が水体内に沈んで装置に対する水流が生じた際に、前記逃がし機構によって提供される総開口区域が前記伸張部分の総壁領域の５％未満となるように構成された請求項１に記載の装置。
【請求項１２】
当該装置が水体内に沈んで装置に対する水流が生じた際に、逃がし機構によって提供される総開口区域が前記伸張部分の先行端の正面領域の約６０％未満となるように構成された請求項１に記載の装置。
【請求項１３】
前記コッドエンド部分は、当該装置がその先行端からボート上に引き上げられたときに当該コッドエンド部分の中の水生動物が水中に保持され、保護されるように構成された請求項１に記載の装置。
【請求項１４】
その先行端から水体を通して曳かれることにより自身で膨らむように構成されている請求項１に記載の装置。
【請求項１５】
開いた先行端を除く部分が実質的に水を通さないコッドエンド部分と、
前記コッドエンド部分と有効に接続され、当該コッドエンド部分の開いた先行端の前方に位置する逃がし機構モジュールであって、当該逃がし機構モジュールが開いた先行端、開いた追従端、及び当該開いた先行端と当該開いた追従端との間の壁部分とを備え、当該壁部分がフレキシブルな膜を備え、当該膜の少なくとも主要部が実質的に水を通さず、当該壁部分のフレキシブルな膜の中に複数の逃がし機構が形成されており、前記逃がし機構を通って装置の内部から装置の外部へ所望のサイズより小さい水生動物を通過させることのできる逃がし機構モジュールとを備え、
装置が水体内に沈んで装置に対する水流が生じた際に、前記逃がし機構モジュールの先行端から当該逃がし機構モジュールの追従端に向かい、かつ前記コッドエンド部分の追従端に向かう前記装置の中の水流速に減少を生じさせるために、装置の内部から装置の外部に前記逃がし機構を通って水が通過できる、
水生動物を捕獲するための装置。
【請求項１６】
請求項１又は請求項１５に記載の装置を水体内に沈ませ、当該装置に相対して前記逃がし機構を通過する水流が生じ、細長い伸張部分の先行端から当該細長い伸張部分の追従端に向かい、かつコッドエンド部分の追従端に向けて当該装置内部の水流速が全体的に低減するように当該装置を配置し及び／又は移動させるステップと、
当該装置内部の水生動物に緩やかな低流速環境を提供している間に、当該装置内の水生動物を捕獲し、かつ所望のサイズより小さい水生動物が前記逃がし機構を通って逃げるのを許容するステップと、
を備える水生動物を捕獲するための方法。
【請求項１７】
水体を通して前記装置を曳くことを含む請求項１６に記載の方法。
【請求項１８】
前記コッドエンド部分内部に、前記装置に対して、当該装置外部の相対的な水の速度の約１０％未満の水の速度を発生させることを含む請求項１６に記載の方法。
【請求項１９】
水生動物を水溜りの中のコッドエンド部分に維持した状態で、前記装置の先行端が動物の放出エリアに達するまで又は超えるまで、その先行端から当該装置を持ち上げるステップを更に含む請求項１６に記載の方法。
【請求項２０】
前記装置が持ち上がるに連れて、少なくとも所望のサイズの水生動物をコッドエンド部分内に流し戻すことを更に含む請求項１９に記載の方法。
【請求項２１】
前記コッドエンド部分の追従端を上げて、それにより水及び動物を前記装置から流出させることを更に含む請求項１９に記載の方法。
【請求項２２】
前記放出エリアは海洋船舶の上である請求項１９に記載の方法。
【請求項２３】
開いた先行端、閉じた追従端、及び当該先行端と当該追従端の間の一つ以上の側壁を有し、当該側壁はフレキシブルな膜を備え、かつ、当該側壁及び当該追従端が実質的に水を通さないコッドエンド部分を提供するステップと、
先行端、追従端、及び当該先行端と当該追従端の間の一つ以上の側壁を有し、当該側壁の少なくとも主要部が実質的に水を通さないフレキシブルな膜を備え、かつ、当該側壁を通る複数の逃がし機構を備える第１の逃がし機構モジュールを提供するステップと、
前記第１の逃がし機構モジュールの追従端を前記コッドエンド部分の先行端に有効に接続して装置を形成し、そこにおいては、当該装置が沈められて当該装置に対する水流が生じた際に、前記逃がし機構を通って当該装置の内部から当該装置の外部に水が通過することができ、当該装置の内部で前記逃がし機構モジュールの先行端から当該逃がし機構モジュールの追従端に向かい、かつ前記コッドエンド部分の追従端に向かう水流速が全体的に低減することとなり、また、前記逃がし機構を通って装置の内部から装置の外部へ所望のサイズより小さい水生動物を通過させることのできるステップと、
を備える水生動物を捕獲するための装置の組立方法。
【請求項２４】
装置の内部から装置の外部へ、所望のサイズより小さい水生動物を通過させることができる複数の逃がし機構を有する第２の逃がし機構モジュールを提供すること、及び、前記第２の逃がし機構モジュールの先行端を前記第１の逃がし機構モジュールの追従端に有効に取り付け、かつ、第２の逃がし機構モジュールの追従端を前記コッドエンド部分の先行端に対して有効に取り付けて、前記第２の逃がし機構モジュールを前記第１の逃がし機構モジュールと前記コッドエンド部分の間に位置させることを含む請求項２３に記載の方法。
【請求項２５】
実質的に水を通さない拡張モジュールを提供すること、及び、前記拡張モジュールの先行端を前記第１の逃がし機構モジュールの追従端に有効に取り付け、前記拡張モジュールの追従端を前記第２の逃がし機構モジュールの先行端に有効に対するに取り付けて、前記拡張モジュールを前記第１の逃がし機構モジュールと前記第２の逃がし機構モジュールの間に位置させることを含む請求項２４に記載の方法。